(57)【要約】【課題】住宅などの塗装工事などの際には、工事中に飛散する塗装剤１９がエアコン室外機１に付着してしまわないように、室外機を臨時に覆うカバー３を設けなければならないが、従来は、工事の度に手作業で、一個一個の室外機にビニールで被せ、テープで留め、ファン通気用の開口部を開けて臨時カバーを作成していたので、時間がかかり作業コストを上昇させる。また、塗装工事が済むと破って捨ててしまうしかなく、ゴミを増やし、資源の無駄を生じるものであった。【解決手段】エアコン室外機１を覆う臨時カバー３であって、全体が略立方体であり、底面が無く、全面と背面にはエアコン室外機のファン通気用のメッシュ部１１を有し、前面、背面、または側面のいずれかにスリット部５が形成され、このスリット部５に設けられたオーバーラップ部分７には、スリット部を開閉するためのマジックテープ１５などの開閉手段が設けられている。【選択図】図１
2004100988.tif 000002
【特許請求の範囲】
【請求項１】
エアコン室外機を覆うカバーであって、全体が略直方体であり、底面が無く、前面と背面にはエアコン室外機のファン通気用のメッシュ部を有し、全面、背面、または側面のいずれかにスリット部が形成され、このスリット部にはスリット部を開閉するための開閉手段が設けられていることを特徴とするエアコン室外機用臨時カバー。
【請求項２】
前記スリット部は、このスリット部で分割された両側が、互いに重なるオーバーラップ部分を有し、前記開閉手段は、このオーバーラップ部分に設けられたマジックテープであることを特徴とする請求項１に記載のエアコン室外機用臨時カバー。
【発明の詳細な説明】
【０００１】
【発明の属する技術分野】
この発明は、塗装工事などの際に飛散する塗装剤からエアコン室外機を守るために、室外機を臨時に覆うカバーの構造に関する。
【０００２】
【従来の技術】
住宅などの塗装工事などの際には、工事中に飛散する塗装剤がエアコン室外機に付着してしまわないように、室外機を臨時に覆うカバーを設けなければならない。
【０００３】
従来は、透明な大きなビニールを室外機の上から被せ、テープなどで室外機の周囲で留め、さらに、室外機のファンによる通気が可能なように、ファンの位置にカッターなどで開口部を切り開けていた。
工事が終わると、このビニールは破って剥がして捨てていた。
【０００４】
【発明が解決しようとする課題】
しかしながら、通常の住宅でもエアコンの室外機は複数個存在するのが通常であり、大きな家では多数個の室外機が存在し、工事の度に手作業で、一個一個の室外機にビニールで被せ、テープで留め、開口部を開けるという作業は、時間がかかり作業コストを上昇させてしまうものであった。
また、このようにして手作りで一度作った臨時のカバーも、塗装作業が済むと破って捨ててしまうしかなく、工事に伴うゴミを増やし、資源の無駄を生じるものであった。
【０００５】
この発明は、以上の課題を解決するためになされたもので、エアコン室外機に臨時のカバーを設ける時間が短くて済み、次の作業でも再使用することができるエアコン室外機用臨時カバーを提供することを目的とする。
【０００６】
【課題を解決するための手段】
以上の課題を解決するために、第一の発明は、エアコン室外機を覆うカバーであって、全体が略直方体であり、底面が無く、全面と背面にはエアコン室外機のファン通気用のメッシュ部を有し、全面、背面、または側面のいずれかにスリット部が形成され、このスリット部にはスリット部を開閉するための開閉手段が設けられていることを特徴とするエアコン室外機用臨時カバーである。
【０００７】
第二の発明は、さらに、前記スリット部は、このスリット部で分割された両側が、互いに重なるオーバーラップ部分を有し、前記開閉手段は、このオーバーラップ部分に設けられたマジックテープであることを特徴とするエアコン室外機用臨時カバーである。
【０００８】
【発明の実施の形態】
この発明の実施の一形態を、図１及び図２（Ａ）に示す。
通常は家庭用のエアコン室外機１は、全体がいわゆる箱形の略直方体を有し、図示しない室内機から冷媒管１ａを通ってやり取りされる冷却媒体を空冷するための多数枚のフィンが設けられ、フィンに空気を送るためのファン１ｂが備えられる。
【０００９】
そのような略直方体のエアコン室外機１を覆うため、この実施形態の臨時カバー３も、全体が略直方体のビニール製である。
この直方体の大きさは、一般的な家庭用の室外機１の大部分に適応できるように、いずれの室外機１よりもやや大きめとする。大きすぎるときは、後述するスリット部５のオーバーラップ部分７で調整する。
【００１０】
臨時カバー３の直方体の底面は無く、よって、この臨時カバー３は、この底面の部分から室外機１にすっぽりと被せることができる。
臨時カバー３の直方体の全面と背面には、エアコン室外機１のファン１ｂによる通気ができるように通気用のメッシュ部１１を有する。メッシュ部１１があることで、単に、開口部とするよりは、全体の直方体の形状が崩れない。メッシュ部１１の材質は、全体のビニールの生地をメッシュ状に切り抜いたものでも良いし、別のメッシュ材を開口部１３の周囲に接着材で貼り付けたものでもよい。
【００１１】
メッシュ部１１の大きさは、種々の型式のエアコン室外機１のファン１ｂの部分の大きさや位置を考慮し、大きめに作る。もっとも、このメッシュ部１１が、ファン１ｂの部分に一部分一致しない場合であっても、ファンの効率は低下するが、低下の時期は塗装工事の期間中であるので、大きな問題は生じない。
【００１２】
臨時カバー３の直方体の側面に、左右方向中央で上下に連続するスリット部５が形成される。そして、スリット部５で分割された両側が、互いに重なるオーバーラップ部分７を有する。このオーバーラップ部分７の接する部分に、開閉手段としてのマジックテープ１５が設けられる。すなわち、オーバーラップ部分７の接する部分の一方にマジックテープ１５の雄部１５Ａが、他方に雌部１５Ｂが設けられる。
【００１３】
（実施形態の作用効果）
臨時カバー３を使用するには、スリット部５のマジックテープ１５を剥がし開いた状態で、エアコン室外機１の上からすっぽりと被せ、マジックテープ１５を閉じる。塗装をエアガン１７などで行った場合に飛散する塗料剤１９は、臨時カバー３の上に付着し、エアコン室外機１を汚染することはない。
【００１４】
塗装作業を終えれば、マジックテープ１５を開けて、エアコン室外機１から臨時カバー３をすっぽりと外せば、臨時カバー３を次の塗装作業でも再使用することができる。
また、オーバーラップ部分７を左右方向に幅広くし、マジックテープ１５も左右方向に幅広くすれば、あるいはマジックテープ１５を左右方向に複数段に設ければ、オーバーラップを深くでき、臨時カバー３がエアコン室外機１よりも大きな場合でも、深くオーバーラップさせてフィットさせ、サイズの柔軟性を得ることができる。
【００１５】
（他の実施形態）
以上の実施形態においては、スリット部５及びオーバーラップ部分７は、臨時カバー３の直方体の側面にのみ設けたが、他の実施形態においては、両側面、あるいは側面のみならず前面または背面にも設けることで、合計のオーバーラップ部分７の左右方向の量を多く取れ、サイズの柔軟性をより大きくできる。
【００１６】
また、スリット部５の上部を延長して、天面（平面）にまで設けることで、さらに、サイズの柔軟性を大きくできる。
また、以上の実施形態においては、開閉手段はマジックテープであったが、他の実施形態においては、雄雌の金具からなるフックやホックボタン２１（　図２（Ｂ））であってもよい。
【００１７】
【発明の効果】
以上説明したように、第一、または第二の発明によれば、略立方体の臨時カバーを、スリット部の開閉手段を開いた状態で、エアコン室外機の上からすっぽりと被せ、開閉手段を閉じれば、簡単に短時間で臨時カバーを設けることができるので、従来のように工事の度に手作業で、一個一個の室外機にビニールで被せ、テープで留め、開口部を開けるという作業は、全く不要であり、作業コストを抑制できる。
【００１８】
また、開閉手段を開けて、エアコン室外機から臨時カバーをすっぽりと外せば、臨時カバーを次の作業でも再使用することができる。
さらに、メッシュ部があることで、単に開口部とするよりは、全体の直方体の形状が崩れない。
【００１９】
また、第二の発明によれば、さらに、スリット部のオーバーラップ部分に設けられたマジックテープによって、簡単に開閉ができる。また、オーバーラップ部分によりスリット部から塗装剤が侵入する恐れをなくせる。
【図面の簡単な説明】
【図１】この発明の一実施形態に係るエアコン室外機用臨時カバーを示す斜視図である。
【図２】（Ａ）は図１のＡ部を拡大する図
（Ｂ）は（Ａ）の部分の他の実施形態における変形例を示す図である。
【符号の説明】
１　　エアコン室外機
１ａ　冷媒管
１ｂ　ファン
３　　臨時カバー
５　　スリット部
７　　オーバーラップ部分
１１　通気用のメッシュ部
１３　開口部
１５　マジックテープ（開閉手段）
１７　エアガン
１９　飛散する塗料剤
２１　ホックボタン（開閉手段）
【図１】
2004100988.tif 000003
【図２】
2004100988.tif 000004